【手続補正書】
【提出日】平成20年6月19日(2008.6.19)
【手続補正１】
【補正対象書類名】明細書
【補正対象項目名】特許請求の範囲
【補正方法】変更
【補正の内容】
【特許請求の範囲】
【請求項１】
第一アミンを含む溶液を、脱除剤樹脂と接触させ、これによって脱除剤樹脂が、溶液中の第一アミンの少なくとも一部を結合し、この結果溶液中の第一アミンの量を減少する、溶液から第一アミンを除去するための方法であって、前記脱除剤樹脂がポリマー支持体に接続した１，３−ケトエステル又は１，３−ケトアミド或いはこれらの混合物から選択されるペンダント基を含むことを特徴とする上記方法。
【請求項２】
求電子分子を含む溶液を、脱除剤樹脂と接触させ、これによって脱除剤樹脂が、溶液中の求電子分子の少なくとも一部を結合し、この結果溶液中の求電子分子の量を減少する、溶液から求電子分子を除去するための方法であって、前記脱除剤樹脂がポリマー支持体に接続した１，３−ケトエステル又は１，３−ケトアミド或いはこれらの混合物から選択されるペンダント基を含むことを特徴とする上記方法。
【請求項３】
ただ一つの重合性二重結合を含有する一つ又はそれより多いモノマー、二つ又はそれより多い重合性二重結合を含有する一つ又はそれより多いモノマー、及び単一のモノマー種に連結体によって接続されたペンダントの１，３−ケトエステル又は１，３−ケトアミド基を含む官能化されたモノマーを含む組成物の重合によって得ることが可能な脱除剤樹脂。
【請求項４】
ただ一つの重合性二重結合を含有する一つ又はそれより多いモノマー、二つ又はそれより多い重合性二重結合を含有する一つ又はそれより多いモノマー、及び単一のモノマー種に連結体によって接続されたペンダントの１，３−ケトエステル又は１，３−ケトアミド基を含む官能化されたモノマーを含む組成物の水性懸濁重合によって得ることが可能な架橋ポリマービーズ脱除剤樹脂。
【請求項５】
ａ）前記ただ一つの重合性二重結合を含有するモノマー（類）が、スチレン及び置換されたスチレン；モノオレフィン性不飽和ジカルボン酸のアルキルエステル；カルボン酸のビニルエステル及びベルサチン（ｖｅｒｓａｔｉｃ）酸のビニルエステル；アクリルアミド；メタクリルアミド；ニトリルモノマー；並びにアクリル酸及びメタクリル酸のエステルからなる群から選択され；そして
ｂ）二つ又はそれより多い重合性二重結合を含有するモノマー（類）が、ジビニルベンゼン、トリビニルベンゼン、及び多官能性アクリル酸エステル及びメタクリル酸エステルからなる群から選択される；
請求項３又は４のいずれか１項に記載の脱除剤樹脂。
【請求項６】
ａ）前記ただ一つの重合性二重結合を含有するモノマー（類）が、スチレン、α−メチルスチレン、メチルスチレン、ｔ−ブチルスチレン、ブロモスチレン、アセトキシスチレン、マレイン酸ジ−ｎ−ブチル、フマル酸ジ−ｎ−ブチル、酢酸ビニル、プロピオン酸ビニル、ラウリン酸ビニル、ベルサチン酸のビニルエステル、メチルアクリルアミド、エチルアクリルアミド、メチルメタクリルアミド、エチルメタクリルアミド、アクリロニトリル、メタクリロニトリル、アクリル酸メチル、アクリル酸エチル、アクリル酸ｎ−ブチル、アクリル酸２−エチルヘキシル、アクリル酸ｉ−プロピル、アクリル酸ｎ−プロピル、メタクリル酸メチル、メタクリル酸エチル、メタクリル酸ｎ−ブチル、メタクリル酸２−エチルヘキシル、メタクリル酸ｉ−プロピル、アクリル酸ｎ−プロピル、アクリル酸ヒドロキシエチル、メタクリル酸ヒドロキシエチル、アクリル酸Ｎ，Ｎ−ジメチルアミノエチル、及びメタクリル酸Ｎ，Ｎ−ジメチルアミノエチルからなる群から選択され；そして
ｂ）前記二つ又はそれより多い重合性二重結合を含有するモノマー（類）が、ジビニルベンゼン、トリビニルベンゼン、ジアクリル酸エチレングリコール、ジメタクリル酸エチレングリコール、トリアクリル酸トリメチロールプロパン、トリメタクリル酸トリメチロールプロパン、エチレンビスアクリルアミド、トリアクリル酸ペンタエリトリトール、テトラアクリル酸ペンタエリトリトール、トリメタクリル酸ペンタエリトロトール、テトラメタクリル酸ペンタエリトリトール及びＮ，Ｎ−ビス−アクリロイルエチレンジアミンからなる群から選択される；請求項５に記載の脱除剤樹脂。
【請求項７】
前記単一のモノマー種に連結体によって接続された、ペンダントの１，３−ケトエステル又はケトアミド基を含む官能化されたモノマーが、以下の一般式２：
【化１】
2004501247.tif 000001
［式中、
Ｒ１は、置換されていてよいヒドロカルビル、過ハロゲン化されたヒドロカルビル又はヘテロシクリル基であり；
Ｘは、Ｏ又はＮＲ２であり、ここにおいてＯ又はＮＲ２の遊離原子価は、ポリマー支持体に結合しているか、連結体を経由してポリマー支持体に結合していてよく；
Ｒ２は、水素、置換されていてよいヒドロカルビル、又はヘテロシクリル基であり；
Ｒ３は、置換されていてよいヒドロカルビル、過ハロゲン化されたヒドロカルビル又はヘテロシクリル基であり；そして
Ｌは、連結基である］
を有する、請求項３ないし６のいずれか１項に記載の脱除剤樹脂。
【請求項８】
Ｌが、置換されていてよいメチレン、ポリメチレン、エーテル、ポリエーテル又は環式橋かけ単位からなる群から選択される、請求項７に記載の脱除剤樹脂。
【請求項９】
Ｌが、２０個までの炭素原子を含む、置換されていてよい直鎖及び分枝鎖アルキレン鎖；１５０個までの炭素原子及び４０個までの酸素原子を含む、置換されていてよい直鎖及び分枝鎖アルキレン−オキシ−アルキレン鎖又はポリ（アルキレンオキシ）−アルキレン鎖；並びに３ないし１０個の炭素原子を最大の環に含む、置換されていてよい芳香族、飽和及び部分的に不飽和の環系からなる群から選択される、請求項８に記載の脱除剤樹脂。
【請求項１０】
Ｌが、−ＣＨ２−、−ＣＨ２ＣＨ２−、−（ＣＨ２）３−、−ＣＨ２ＣＨ（ＣＨ３）−、−ＣＨ２Ｃ（ＣＨ３）２−、−ＣＨ２−Ｏ−ＣＨ２−、−ＣＨ２ＣＨ２−Ｏ−ＣＨ２ＣＨ２−、−（ＣＨ２）３−Ｏ−（ＣＨ２）３−、−ＣＨ２ＣＨ（ＣＨ３）−Ｏ−ＣＨ２ＣＨ２−、−ＣＨ２ＣＨ（ＣＨ３）−Ｏ−ＣＨ２ＣＨ（ＣＨ３）−鎖、−［ＣＨ２ＣＨ２−Ｏ］ｎ−ＣＨ２ＣＨ２−及び−［ＣＨ２ＣＨ（ＣＨ３）−Ｏ］ｎ−ＣＨ２ＣＨ（ＣＨ３）−鎖、−ＣＨ２Ｃ６Ｈ４ＣＨ２−並びに−ＣＨ２Ｃ６Ｈ１０ＣＨ２からなる群から選択され、ここでｎ＝２、３又は４である、請求項９に記載の脱除剤樹脂。
【請求項１１】
前記単一のモノマー種に連結体によって接続された、ペンダントの１，３−ケトエステル又は１，３−ケトアミド基を含む官能化されたモノマーが、以下の式：
【化２】
2004501247.tif 000002
からなる群から選択される、請求項７ないし１０のいずれか１項に記載の脱除剤樹脂。
【請求項１２】
前記単一のモノマー種に連結体によって接続された、ペンダントの１，３−ケトエステル又は１，３−ケトアミド基を含む官能化されたモノマーが、メタクリル酸アセトアセトキシエチルである、請求項７ないし１０のいずれか１項に記載の脱除剤樹脂。
【請求項１３】
前記組成物が、アクリル酸アセトアセトキシエチル、メタクリル酸アセトアセトキシエチル、アクリル酸アセトアセトキシプロピル、及びメタクリル酸アセトアセトキシプロピルからなる群から選択される一つ又はそれより多いモノマー、スチレン、アクリル酸メチル、アクリル酸エチル、メタクリル酸メチル、アクリル酸エチルからなる群から選択される一つ又はそれより多いモノマー、並びにジビニルベンゼン、トリビニルベンゼン、ジアクリル酸エチレングリコール、ジメタクリル酸エチレングリコール、トリアクリル酸トリメチロールプロパン、トリメタクリル酸トリメチロールプロパン、エチレンビスアクリルアミド、トリアクリル酸ペンタエリトリトール、テトラアクリル酸ペンタエリトリトール、トリメタクリル酸ペンタエリトリトール、テトラメタクリル酸ペンタエリトリトール及びＮ，Ｎ−ビス−アクリロイルエチレンジアミンからなる群から選択される一つ又はそれより多いモノマーを含む、請求項３又は４のいずれか１項に記載の脱除剤樹脂。
【請求項１４】
前記組成物が、メタクリル酸アセトアセトキシエチル、スチレン及びジビニルベンゼンを含む、請求項１３に記載の脱除剤樹脂。
【請求項１５】
前記脱除剤樹脂が、請求項３ないし１４のいずれか１項に記載の脱除剤樹脂である、請求項１又は２のいずれか１項に記載の方法。